(57)【特許請求の範囲】
【請求項１】
中空円筒状の環状体を包装するための環状体用包装材であって、
この環状体用包装材は、
包装される環状体の外周面の周長より長く、一側縁と他側縁とにそれぞれ複数のひだの根元が設けられてなる帯状のシート材からなる主被覆部材と、
主被覆部材の一側縁と他側縁とにそれぞれ連結された一対の内周被覆部材とを具備し、
主被覆部材は、ひだの根元から延長するひだが伸ばされることによって、環状体の外周面及び両端面を覆う形状に変形させられつつ、環状体の外周面周方向に巡らせて配置されるものであり、
内周被覆部材は、それぞれ主被覆部材の一側縁と他側縁とに沿って列をなす互いに独立する複数のシート状部材の集合体からなり、且つ、隣り合うシート状部材の端部同士が重ねられた状態で配置されてなり、環状体の中心孔に向かって折り込まれることによって、環状体の内周面を覆うものであることを特徴とする環状体用包装材。
【請求項２】
請求項１に記載の環状体用包装材において、
主被覆部材の一側縁と他側縁とにそれぞれ設けられた複数のひだの根元の配列が、追い掛けひだ状に配列されてなる環状体用包装材。
【請求項３】
請求項１又は２に記載の環状体用包装材において、
主被覆部材には、その表裏を貫通する排水孔が設けられてなる環状体用包装材。
【請求項４】
請求項３に記載の環状体用包装材において、
排水孔が、主被覆部材における環状体の外周面を覆う範囲内に設けられてなる環状体用包装材。
【請求項５】
請求項３に記載の環状体用包装材において、
排水孔が、主被覆部材における環状体の端面を覆う範囲内に設けられてなり、しかも、係る範囲内の選択された位置から、主被覆部材が環状体の端面と外周面とがなす角部を覆う位置まで開口する環状体用包装材。
【請求項６】
請求項５に記載の環状体用包装材において、
排水孔には、排水孔を開閉するための蓋部が設けられてなる環状体用包装材。
【請求項７】
請求項６に記載の環状体用包装材において、
蓋部が、主被覆部材と繋がったままの基端を残した状態で主被覆部材が切り欠かかれることによって形成された切片で形成されてなり、
蓋部が、基端を開閉軸として開かれることによって、排水孔が開口される環状体用包装材。
【請求項８】
請求項７に記載の環状体用包装材において、
主被覆部材の一側縁側に蓋部を形成する場合は、蓋部の基端が主被覆部材の一側縁側に設けられてなり、
主被覆部材の他側縁側に蓋部を形成する場合は、蓋部の基端が主被覆部材の他側縁側に設けられてなる環状体用包装材。
【請求項９】
請求項１ないし８のいずれか１項に記載の環状体用包装材において、
内周被覆部材を構成する複数のシート状部材には、
環状体用包装材によって包装されてなる環状体がその中心軸を設置面に対して平行となるようにして置かれた際、設置面近くに位置させる最下段シートが設定されてなり、
この最下段シートから離れる方向に向かって、順次隣接するシート状部材の重なりが上側となされた環状体用包装材。
【発明の詳細な説明】
【技術分野】
【０００１】
本発明は、中空円筒状の環状体を包装するための環状体用包装材に関する。
【背景技術】
【０００２】
従来、農業用水管、下水道管、上水道管などの既設管にひび割れや腐食などの老朽化が生じた場合の対策の一つとして、長尺の帯状部材（プロファイル）を螺旋状に巻回して螺旋管を製管し、既設管内壁を螺旋管で更生するライニング工法が行われている。
【０００３】
このライニング工法において用いられる帯状部材は、製造ドラムによって中空円筒状に巻き回され、更に、巻き回しが解けないように結束材で結束されて帯状部材結束体となされる（例えば、下記特許文献１参照）。
【０００４】
帯状部材結束体は、工場における保管時や、施工現場への輸送時において傷がついたり汚れたりすることを防止するために、シート材からなる包装材によって包装される。このような中空円筒状の環状体を包装するための包装材として、下記特許文献２に記載された如きの包装材（包装用部材）が開発されている。
【先行技術文献】
【特許文献】
【０００５】
【特許文献１】特開２００９‐１０７７２３号公報
【特許文献２】特開２００８‐７４４１１号公報
【発明の概要】
【発明が解決しようとする課題】
【０００６】
ところで、帯状部材結束体は、帯状部材を製造ドラムの芯周りに整列巻きし、順次巻き重ねて中空円筒状に形成されるものであることから、その内径については、製造ドラムの芯の外径によって規定される。一方、帯状部材結束体の外径については、巻き付けられた帯状部材の長さによって変化する。
【０００７】
通常、帯状部材結束体には製造ドラム毎に一応の基準となるサイズが設定されており、その外径が基準となるサイズを超えることは殆ど有り得ない。しかしながら、帯状部材が基準となるサイズの帯状部材結束体を形成し得る長さより短い場合などにあっては、外径が基準となるサイズを下回る。
【０００８】
特許文献１に記載の包装用部材は、包装される環状体のサイズが一定であることを前提としており、基準となるサイズと異なる環状体を包装した場合にあっては、包装用部材がだぶついたり、ずれたりして、内包される環状体との一体感を損ね、外観を悪くする。又、包装用部材のだぶつきやずれは、保管時や輸送時における包装用部材の破れの原因となり易く、その結果、破れた部分から雨水や汚れの侵入を招き、内包される環状体に汚損が生じる。
【０００９】
本発明は、前記技術的課題を解決するために開発されたものであり、中空円筒状の環状体を包装した際の外観を美麗にする新規な環状体用包装材を提供することを目的とする。
【課題を解決するための手段】
【００１０】
本発明の環状体用包装材は、中空円筒状の環状体を包装するための環状体用包装材であって、この環状体用包装材は、包装される環状体の外周面の周長より長く、一側縁と他側縁とにそれぞれ複数のひだ（襞）の根元が設けられてなる帯状のシート材からなる主被覆部材と、主被覆部材の一側縁と他側縁とにそれぞれ連結された一対の内周被覆部材とを具備し、主被覆部材は、ひだの根元から延長するひだが伸ばされることによって、環状体の外周面及び両端面を覆う形状に変形させられつつ、環状体の外周面周方向に巡らせて配置されるものであり、内周被覆部材は、それぞれ主被覆部材の一側縁と他側縁とに沿って列をなす互いに独立する複数のシート状部材の集合体からなり、且つ、隣り合うシート状部材の端部同士が重ねられた状態で配置されてなり、環状体の中心孔に向かって折り込まれることによって、環状体の内周面を覆うものであることを特徴とする（以下、「本発明包装材」と称する。）。
【００１１】
本発明包装材においては、帯状のシート材からなる主被覆部材の一側縁と他側縁とにそれぞれ複数のひだの根元（解除不能に固定されたひだの基端）が設けられていることから、本発明包装材を平面状に展開すると、主被覆部材の幅方向に沿って、複数のひだの根元から延長した複数のひだが生じる。環状体を包装する際に、この複数のひだを伸ばしながら、主被覆部材を環状体の外周面周方向に沿って巡らせて配置すれば、主被覆部材は、自然に環状体の外周面及び端面を覆う形状に変形する。
【００１２】
次いで、主被覆部材の一側縁と他側縁にそれぞれ連結された一対の内周被覆部材を、環状体の中心孔に向かって折り込めば、環状体の内周面（中心孔内壁面）が覆われ、もって、環状体が包装される。
【００１３】
そして、本発明包装材においては、内周被覆部材が、それぞれ主被覆部材の一側縁と他側縁とに沿って列をなす互いに独立する複数のシート状部材の集合体からなり、且つ、隣り合うシート状部材の端部同士が重ねられた状態で配置されてなることから、環状体を包装する際に、環状体のサイズに応じてシート状部材の重ね代を変更することができる。これにより、本発明包装材のだぶつきやずれを適宜是正することができ、環状体を包装した際の外観を美麗にすることができる。
【００１４】
なお、本発明包装材は、主として、既設管を更生するためのライニング工法において用いられる帯状部材が中空円筒状に巻き回された帯状部材結束体を包装対象とするが、必ずしもこれに限定されるものではない。例えば、電線等の各種線材が中空円筒状に巻き回されたものや、パルプシートなどが中空円筒状に巻き回されたパルプロールなど、中空円筒状の環状体であれば包装することができる。
【００１５】
本発明包装材の好ましい態様としては、主被覆部材の一側縁と他側縁とにそれぞれ設けられた複数のひだの根元の配列が、追い掛けひだ状に配列されてなるものを挙げることができる。
【００１６】
本発明包装材の好ましい態様としては、主被覆部材に対し、その表裏を貫通する排水孔が設けられてなるものを挙げることができる。
【００１７】
本発明包装材においては、排水孔が、主被覆部材における環状体の外周面を覆う範囲内に設けられてなるものが好ましい態様となる。
【００１８】
本発明包装材においては、主被覆部材における環状体の端面を覆う範囲内に設けられてなり、しかも、係る範囲内の選択された位置から、主被覆部材が環状体の端面と外周面とがなす角部を覆う位置まで開口するものが好ましい態様となる。
【００１９】
本発明包装材においては、排水孔には、排水孔を開閉するための蓋部が設けられてなるものが好ましい態様となる。
【００２０】
本発明包装材においては、蓋部が、主被覆部材と繋がったままの基端を残した状態で主被覆部材が切り欠かかれることによって形成された切片で形成されてなり、蓋部が、基端を開閉軸として開かれることによって、排水孔が開口されるものが好ましい態様となる。
【００２１】
本発明包装材においては、主被覆部材の一側縁側に蓋部を形成する場合は、蓋部の基端が主被覆部材の一側縁側に設けられてなり、主被覆部材の他側縁側に蓋部を形成する場合は、蓋部の基端が主被覆部材の他側縁側に設けられてなるものが好ましい態様となる。
【００２２】
更に、本発明包装材の好ましい態様としては、内周被覆部材を構成する複数のシート状部材には、環状体用包装材によって包装されてなる環状体がその中心軸を設置面に対して平行となるようにして置かれた際、設置面近くに位置させる最下段シートが設定されてなり、この最下段シートから離れる方向に向かって、順次隣接するシート状部材の重なりが上側となされたものを挙げることができる。
【発明の効果】
【００２３】
以上述べた本発明の包装材によれば、中空円筒状の環状体を包装した際の外観を美麗にすることができる。
【図面の簡単な説明】
【００２４】
【図１】図１は、実施形態１に係る本発明包装材によって包装される中空円筒状の環状体（帯状部材結束体）を示す斜視図である。
【図２】図２は、実施形態１に係る本発明包装材を平面状に展開して示す（ａ）正面図、（ｂ）Ａ‐Ａ断面図である。
【図３】図３は、実施形態１に係る本発明包装材を示す斜視図である。
【図４】図４（ａ）〜（ｄ）は、実施形態１に係る本発明包装材を用いて、基準となるサイズの帯状部材結束体を包装する工程を示す説明図である。
【図５】図５（ａ）〜（ｄ）は、実施形態１に係る本発明包装材を用いて、基準となるサイズを下回る外径の帯状部材結束体を包装する工程を示す説明図である。
【図６】図６は、帯状部材結束体を内包する包装体を保管している状態を示す断面図である。
【図７】図７は、帯状部材結束体を内包する包装体を繰り出し用ドラムにセットする状態を示す（ａ）斜視図、（ｂ）上面図である。
【図８】図８は、実施形態２に係る本発明包装材を平面状に展開して示す正面図である。
【図９】図９は、実施形態２に係る本発明包装材を拡大して示す正面図である。
【図１０】図１０は、帯状部材結束体を内包してなる包装体を拡大して示す正面図であり、（ａ）は、蓋部が閉じられた状態を示し、（ｂ）は、蓋部が開かれた状態を示す。
【発明を実施するための形態】
【００２５】
以下、本発明包装材の一実施形態について、図面を参照しつつ説明するが、本発明包装材は、この実施形態に限定されるものではない。
【００２６】
［実施形態１］
＜環状体＞
図１に、中空円筒状の環状体としての帯状部材結束体１００を示す。この帯状部材結束体１００は、老朽化した既設管をライニングするために用いられる長尺の帯状部材２００を製造ドラムにて整列巻きすることによって中空円筒状に形成し、更に、巻き回しが解けないように結束バンド３００によって結束してなるものである。この帯状部材結束体１００は、外径２００ｃｍ、内径１２０ｃｍ、中心軸方向の厚み８０ｃｍを基準となるサイズとする。本実施形態においては、この基準となるサイズどおりの帯状部材結束体１００Ａと、基準となるサイズより外径が下回る（外径１８０ｃｍ）を有する帯状部材結束体１００Ｂとを包装対象とした。
【００２７】
＜本発明包装材＞
図２及び図３に、本発明包装材１を示す。この本発明包装材１は、主被覆部材２と、主被覆部材２の一側縁２１Ａと他側縁２１Ｂにそれぞれ連結された一対の内周被覆部材３とからなる。
【００２８】
主被覆部材２は、長さ６６０ｃｍ、幅１８３ｃｍの、アルミニウムが蒸着されたポリエチレンテレフタレート又はポリエチレンからなる柔軟なシート材（厚さ０．１５ｍｍ）からなり、その各側縁に設けられた複数のひだの根元４によって、各側縁２１Ａ、２１Ｂの長さが共に４６０ｃｍに縮められている。
【００２９】
図２（ａ）の正面図に示すように、本発明包装材１を平面状に展開すると、主被覆部材２の幅方向に沿ってひだの根元４から延長した複数のひだ４１が生じる。図３に示すように、この複数のひだ４１が順次伸ばされれば、主被覆部材２は自然に環状に変形する。以下、環状に変形した際の主被覆部材２の外周面側となる面を主被覆部材２の表面側、内周面側となる面を主被覆部材２の裏面側と称する。
【００３０】
図２（ｂ）のＡ‐Ａ断面図に示すように、本実施形態においては、主被覆部材２の他側縁２Ｂに設けた複数のひだの根元４の配列につき、追い掛けひだ状の配列としている（主被覆材２の一側縁２１Ａにおいて同様。）。なお、複数のひだの根元の配列４は、主被覆部材２の各側縁２１Ａ、２１Ｂを所定の長さに縮めることができるものであれば、追い掛けひだ状の配列に限られるものではなく、例えば、箱ひだ状の配列としても良い。
【００３１】
又、複数のひだの根元４は、一定間隔で折り目が付けられた規則的な配列としても、不定間隔で折り目が付けられた不規則な配列としても良い。
【００３２】
更に、主被覆部材２の一側縁２１Ａと他側縁２１Ｂとにそれぞれに設けられた複数のひだの根元４は、主被覆部材２を挟んで対称としても、非対称としても良い。
【００３３】
内周被覆部材３は、互いに独立する複数のシート状部材３１の集合体からなり、それぞれ隣り合うシート状部材３１の端部同士が重ねられた状態で主被覆部材２の一側縁２１Ａと他側縁２１Ｂとに沿って連結されている。本実施形態において、シート状部材３１は、主被覆部材２と同じ素材を長方形（１２２ｃｍ×６０ｃｍ）に形成したものであるが、これに限られるものではなく、例えば、正方形、平行四辺形或いは台形等に形成しても良い。
【００３４】
各シート状部材３１は、それぞれその長辺部分が主被覆部材２の表面側の一側縁２１Ａ又は他側縁２１Ｂに重ねられた状態で主被覆部材２に縫着されている。隣り合うシート状部材３１の端部同士は重ねられているが、互いに固定されてはいない。隣り合うシート状部材３１の端部同士の重ね代（代幅）は、本発明包装材１を平面状に展開した際、１０ｃｍとなるように設定している。なお、本実施形態においては、主被覆部材２の各側縁に連結した複数のシート状部材３１につき、主被覆部材２を挟んで対称となるように配置しているが、非対称としても良い。
【００３５】
又、主被覆部材２の各側縁２１Ａ、２１Ｂに沿って列をなす複数のシート状部材３１の枚数は、２枚以上の複数枚であれば特に限定されるものではない。通常は、４〜８枚程度とされる。
【００３６】
本実施形態においては、主被覆部材２の一側縁２１Ａと他側縁２１Ｂとに沿って列をなす複数のシート状部材３１のうち、中ほどに存するシート状部材３１を最下段シート３１Ｌとして設定し、この最下段シート３１Ｌから離れる方向に向かって、順次隣接するシート状部材３１の重なりが上側（主被覆部材Ａの表面側）となるように、シート状部材３１を配置している。
【００３７】
なお、「中ほどに存するシート状部材３１」とは、主被覆部材２の各側縁２１Ａ、２１Ｂに沿って列をなす複数のシート状部材３１のうち最も中央に位置するシート状部材３１のみを意味するものではなく、主被覆部材２の各側縁２１Ａ、２１Ｂに沿って列をなす複数のシート状部材３１のうち前後端に存するシート状部材３１を除く、その他のシート状部材３１のことを意味する。通常、最下段シート３１Ｌは、主被覆部材２の各側縁２１Ａ、２１Ｂに沿って列をなす複数のシート状部材３１のうち最も中央に位置するシート状部材３１の近辺（両隣１〜５枚）に存するシート状部材３１から選択される。
【００３８】
又、本実施形態においては、主被覆部材２における最下段シート３１Ｌが連結している位置にあわせて、主被覆部材２に対し、その表裏を貫通する複数の排水孔（切り欠き）５を設けている。この排水孔５は、主被覆部材２における、帯状部材結束体１００の外周面を覆う範囲４２内に設けられており、主被覆部材２を、略Ｃ字状に切り欠くことによって形成されている。
【００３９】
＜環状体の包装工程＞
本実施形態に係る本発明包装材１は、主として、規準となるサイズの帯状部材結束体１００Ａを包装することを想定し、主被覆部材２の長さ、幅、及びひだの根元４によって縮められた各側縁２１Ａ、２１Ｂの長さ等を決定している。以下、まず、基準となるサイズの帯状部材結束体１００Ａを包装する工程を説明し、次いで、基準となるサイズと異なる外径を有する帯状部材結束体１００Ｂを包装する工程を説明する。なお、以下に説明する包装工程において、帯状部材結束体１００は、そのままの状態で本発明包装材１により包装されるが、帯状部材結束体１００の外周面等を保護シート等によって保護した上で包装工程に供しても良い。
【００４０】
‐帯状部材結束体１００Ａを包装する工程‐
図４（ａ）に示すように、主被覆部材２に生じている複数のひだ４１を伸ばしながら、主被覆部材２における帯状部材結束体１００Ａの外周面を覆う範囲４２を帯状部材結束体１００Ａの外周面周方向に沿って巡るように配置すれば、主被覆部材２は、は、自然に帯状部材結束体１００Ａの外周面及び両端面を覆う形状に変形し、主被覆部材２における帯状部材結束体１００Ａの各端面を覆う範囲４３Ａ、４３Ｂが、帯状部材結束体１００Ａの各端面を覆う。
【００４１】
なお、主被覆部材２の長さは、帯状部材結束体１００Ａの外周面の周長より長くなるように設定されていることから、主被覆部材２の長さ方向前後端部を重複させることにより主被覆部材２の長さ方向の余剰分を是正する。
【００４２】
この状態で、テープ６を用いて、主被覆部材２の長さ方向前後端部の合わせ目をシールすれば、帯状部材結束体１００Ａの外周面及び両端面が被覆される（図４（ｂ）参照）。
【００４３】
主被覆部材２の幅は、帯状部材結束体１００Ａの外周面及び両端面を覆い得る長さに設定されており、又、主被覆部材２におけるひだの根元４によって縮められた各側縁２１Ａ、２１Ｂの長さは、帯状部材結束体１００Ａの外周面及び両端面を主被覆部材２によって被覆した状態において、中心孔の内周の長さに相当するように設定されているから、主被覆部材２は、だぶつくことなく帯状部材結束体１００Ａの外周面及び両端面を覆う。
【００４４】
次いで、図４（ｃ）に示すように、内周被覆部材３（シート状部材３１）を、それぞれ帯状部材結束体１００Ａの中心孔に向かって折り込めば、本発明包装材１は、帯状部材結束体１００Ａを内包し得る形状に変形する。
【００４５】
最後に、内周被覆部材３（シート状部材３１）の合わせ目をテープ６でシールすれば、だぶつきのない美麗な包装状態の包装体１０となる（図４（ｄ）参照）。
【００４６】
‐帯状部材結束体１００Ｂを包装する工程‐
図５（ａ）に示すように、主被覆部材２に生じている複数のひだ４１を伸ばしながら、主被覆部材２における帯状部材結束体１００Ｂの外周面を覆う範囲４２を帯状部材結束体１００Ｂの外周面周方向に沿って巡るように配置すれば、主被覆部材２は、自然に帯状部材結束体１００Ｂの外周面及び両端面を覆う形状に変形し、主被覆部材２における帯状部材結束体１００Ｂの各端面を覆う範囲４３Ａ、４３Ｂが、帯状部材結束体１００Ｂの各端面を覆う。なお、主被覆部材２の長さは、帯状部材結束体１００Ｂの外周の周長より長いことから、主被覆部材２の長さ方向前後端部を重複させることにより余剰分を是正する。
【００４７】
この状態で、テープ６を用いて、主被覆部材２の長さ方向前後端部の合わせ目をシールすれば、帯状部材結束体１００Ｂの外周面及び両端面が被覆される（図５（ｂ）参照）。
【００４８】
しかしながら、主被覆部材２の幅は、基準となるサイズの帯状部材結束体１００Ａの外周面及び両端面を覆い得る長さに設定されているから、基準となるサイズを下回る外径の帯状部材結束体１００Ｂを包装すると、主被覆部材２の各側縁２１Ａ、２１Ｂの周辺が余剰となる。
【００４９】
この主被覆部材２の各側縁２１Ａ、２１Ｂの周辺に生じた余剰分については、係る余剰分を、内周被覆部材３（シート状部材３１）と共に、帯状部材結束体１００Ｂの中心孔に向かって折り込むことによって是正する（図５（ｃ）参照）。
【００５０】
このようにすると、帯状部材結束体１００Ｂの中心孔において、内周被覆部材３に余剰分が生じるが、本発明包装材１の内周被覆部材３は、互いに独立する複数のシート状部材３１の集合体からなることから、隣り合うシート状部材３１の端部同士の重なり代が大きくなるようにシート状部材３１を各々配置すれば、内周被覆部材３の余剰分が是正される。
【００５１】
最後に、一対の内周被覆部材３の合わせ目をテープ６でシールすれば、だぶつきのない美麗な包装状態の包装体１０となる（図５（ｄ）参照）。
【００５２】
ところで、本発明包装材１によって包装された帯状部材結束体１００（包装体１０）を保管するにあたっては、通常、内包される帯状部材結束体１００の中心軸が設置面と平行となるように立てた状態で保管する。本実施形態においては、内包される帯状部材結束体１００の中心軸が設置面と平行となるように立てた状態で土台Ｓに包装体１０を積載することによって、包装体１０を保管した。
【００５３】
本発明包装材１によって帯状部材結束体１００を包装するにあたっては、本発明包装材１の合わせ目をテープ６によってシールしているが、保管時において、シート状部材３１の重ね代やシールの隙間から雨水等が侵入し、内包される帯状部材結束体１００が汚損される場合がある。
【００５４】
この点につき、本実施形態においては、主被覆部材２の各側縁に沿って列をなす複数のシート状部材３１のうち、中ほどに存するシート状部材３１を最下段シート３１Ｌとして設定し、この最下段シート３１Ｌから離れる方向に向かって、順次隣接するシート状部材３１の重なりが上側となるように、シート状部材３１を配置しているから、図６に示すように、保管時において、最下段シート３１Ｌが地面に近くなるように包装体１０を設置すれば、帯状部材結束体１００の中心孔に折り込まれた複数のシート状部材３１の重なりは、より下側に位置するシート状部材３１の端辺を覆う状態となる。
【００５５】
これにより、図６において矢印（実線）で示すように、帯状部材結束体１００の中心孔を覆う内周被覆部材３の表面を雨水等が伝い落ちてきても、包装体１０内に雨水が浸入し難くなる。
【００５６】
又、本実施形態においては、主被覆部材２における最下段シート３１Ｌが連結している位置にあわせて、主被覆部材２における帯状部材結束体１００の外周面を覆う範囲４２に、その表裏を貫通する複数の排水孔（切り欠き）５を設けているから、最下段シート３１Ｌが地面に近くなるように包装体１０を設置すれば、同時に主被覆部材２に設けた排水孔５の位置が地面に近くなる。包装体１０は、土台Ｓに積載されることによって、排水孔５が地面から浮いた状態で位置しており、包装体１０中に雨水が浸入して水が溜まった場合にあっても、図６において矢印（破線）で示すように、排水孔５を介して溜まった水を速やかに包装体１０の外へ排出することができる。
【００５７】
なお、帯状部材結束体１００を内包する包装体１０は、通常、このままの状態で施工現場に輸送され、繰り出し用ドラム７にセットされる（図７（ａ）参照）。
【００５８】
本実施形態においては、本発明包装材１における主被覆部材２の各側縁に設けられたひだの根元４の配列が追い掛けひだ状に配列されていることから、図７（ｂ）に示すように、包装体１０を繰り出し用ドラム７にセットする際に、ひだの根元４の閉じている側から繰り出し用ドラム７をセットするようにすれば、ひだの根元４に繰り出し用ドラム７が引っ掛かり難くなり、スムーズにセットすることができる。これより、繰り出し用ドラム７へのセット時において、本発明包装材１に傷や破れが生じ難くなる。
【００５９】
［実施形態２］
図８に、実施形態２に係る本発明包装材１を示す。この本発明包装材１は、前記実施形態１に係る本発明包装材１とほぼ同様の形状及び構成を有する。
【００６０】
本実施形態に係る本発明包装材１における、前記実施形態１に係る本発明包装材１と異なる点は、主被覆部材２における帯状部材結束体１００の外周面を覆う範囲４２に設けた排水孔５とは別の排水孔５Ａを、主被覆部材２における、帯状部材結束体１００の端面を覆う範囲４３Ａ、４３Ｂ内に設けた点にある。
【００６１】
図９の拡大図に示すように、この別の排水孔５Ａは、帯状部材結束体１００の端面を覆う範囲４３Ａ（４３Ｂ）内から、基端５１となる部分を選択し、主被覆部材２と繋がったままの基端５１を残した状態で、主被覆部材２を略Ｃ字状に切り欠くことによって形成されている。即ち、別の排水孔５Ａは、基端５１が主被覆部材２に繋がった状態の略Ｃ字状の切片からなる蓋部５２によって蓋されており、基端５１を開閉軸として蓋部５２を開くことによって開口される仕組みとなっている。
【００６２】
蓋部５２の遊端５３は、主被覆部材２が帯状部材結束体１００の端面と外周面とがなす角部を覆う位置（主被覆部材２における帯状部材結束体１００の外周面を覆う範囲４２と、帯状部材結束体１００の端面を覆う範囲４３Ａ（４３Ｂ）との接点）にある。従って、蓋部５２が開かれた際、別の排水孔５Ａは、帯状部材結束体１００の端面を覆う範囲４３Ａ（４３Ｂ）内の選択された位置（基端５１）から、主被覆部材２が帯状部材結束体１００の端面と外周面とがなす角部を覆う位置にわたって開口する。
【００６３】
図１０に、本実施形態に係る本発明包装材１によって帯状部材結束体１００が包装されてなる包装体１０を、別の排水孔５Ａが存する部分を拡大して示す。
【００６４】
図１０は、内包される帯状部材結束体１００の中心軸が設置面と平行となるように、包装体１０を地面Ｇに立てた状態で保管している状況を拡大して示すものであり、図１０（ａ）に示す通常の保管状況においては、蓋部５２が別の開口５Ａを蓋しており、又、蓋部５２の開閉軸たる基端５１が別の開口５Ａの上部側に位置するため、別の開口５Ａから雨水などが浸入し難くなっている。
【００６５】
保管時において、シート状部材３１の重ね代やシールの隙間から雨水等が侵入し、本発明包装材１内に水が溜まったら、図１０（ｂ）に示すように、蓋部５２を捲り上げることによって（若しくは溜まった水の重みによって蓋部５２が自然に開かれることによって）、別の開口５Ａを露出させれば、本発明包装材１内に溜まった水は、別の開口５Ａを介して速やかに排出される。
【００６６】
このように本実施形態に係る本発明包装材１は、別の排水孔５Ａが、主被覆部材２における、帯状部材結束体１００の端面を覆う範囲４３Ａ、４３Ｂ内に設けられ、しかも、係る範囲４３Ａ、４３Ｂ内の選択された位置から、主被覆部材２が帯状部材結束体１００の端面と外周面とがなす角部を覆う位置にわたって開口するから、包装体１０を、土台Ｓを介さずに、じかに地面Ｇに接した状態で保管する場合などにあっても、本発明包装材１内に浸入した水を速やかに排出することができる。
【００６７】
なお、本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００６８】
本発明は、帯状部材結束体に限られず、電線等の各種線材が中空円筒状に巻き回されたものや、パルプシートなどが中空円筒状に巻き回されたパルプロールなど、中空円筒状の環状体であれば好適且つ美麗に包装することができる。
【符号の説明】
【００６９】
１      本発明包装材（環状体用包装材）
２      主被覆部材
３      内周被覆部材
３１    シート状部材
３１Ｌ  最下段シート
４      ひだの根元
４１    ひだ
５      排水孔
５Ａ    別の排水孔
６      テープ
７      繰り出し用ドラム
１０    包装体
１００  環状体（帯状部材結束体）
【図１】
0005703127.tif 000002
【図２】
0005703127.tif 000003
【図３】
0005703127.tif 000004
【図４】
0005703127.tif 000005
【図５】
0005703127.tif 000006
【図６】
0005703127.tif 000007
【図７】
0005703127.tif 000008
【図８】
0005703127.tif 000009
【図９】
0005703127.tif 000010
【図１０】
0005703127.tif 000011